(57)【要約】【課題】  重篤な持病をお持ちの方が普段受診している医療施設以外の利用が難しく、特に緊急を要する場合の処置ができず命にかかわる場合もありうることです。その理由は持病に関する個人データが普段受診している医療施設が保存しているためで、患者本人による説明や判断能力が乏しいためです。【解決手段】  ｗｅｂ上にセキュリティーに保守された個人情報書き込みサイトがそれぞれの情報データ別に用意された管理システムサイトを利用して持病の基本データや毎日の自己測定データ、服用する薬のデータなどの医療に関する個人データを書き込むことで自己管理するものです。このｗｅｂサイトの個人情報には個人を特定する固有名詞などの掲載はなく、代わりにＣＤ−Ｒなどのメディアに個人情報およびｗｅｂ管理サイトの閲覧情報が入っており、このメディアを見せることで初めてｗｅｂ管理サイトの個人情報が誰のものかが判別できるシステムです。これにより日本中のどこの医療施設でもこのメディアがあれば早期治療を施してもらえます【特許請求の範囲】
【請求項１】
ＣＤ−Ｒなどの記録メディアに個人情報やｗｅｂ管理サイトの閲覧情報を入れたものを附属することでそれに付帯するｗｅｂ上の個人情報サイト内の個人を特定する情報の削除をすることにより個人情報の流出が１００％防止できる保守システムの方法
【請求項２】
ｗｅｂ上の書き込みサイトへの医療関連の個人情報収集および管理の状態をＣＤ−Ｒなどの情報記録メディア内データを使用することにより閲覧する方法
【請求項３】
ｗｅｂ上にて個人の傷病に関する基本データ、各種検査データ、自己測定データ、服用薬データ、食生活データ等の医療関連データがそれらの閲覧情報の入ったメディアを手にすることでパソコンや携帯電話から閲覧および書き込みができることで個人の病状や症状が早期に把握できることにより素早い処置を可能とする救急医療システムのの方法
【請求項４】
ｗｅｂ上の管理サイトから個人の居宅等に設置されているｗｅｂカメラに接続することにより個人の生活状況および病状などがリアルタイムの映像や画像で把握することが可能な在宅医療システムの方法
【発明の詳細な説明】
【技術分野】
【０００１】ｗｅｂ上の医療分野の個人データの収集や管理をするシステム
【背景技術】
【０００２】ｗｅｂ上のセキュリティーシステム、ログインパスワード付き掲示板やブログ、サイトなどの普及による先端技術
【先行技術文献】
【０００３】ログインパスワード式ｗｅｂ掲示板、ブログ、サイトおよび携帯電話
【発明の概要】
【０００４】個人データ流出を１００％防止できるｗｅｂ上での医療関連の個人データ収集および管理システムです
【発明が解決しようとする課題】
【０００５】持病をお持ちの方や治療法が難しい症状の方は普段治療を受けている医療施設以外のところに移るのには勇気がいることで、ましてやその症状の対応方法がわからずに拒否する医療施設まであるのが現状です。それは患者本人自体が自分の病気についての判断や説明ができないということもあります。そんな重篤な持病を持つ患者が普段受診している医療施設以外へ救急搬送されたときにその症状に応じた早期治療を施せるのかは皆無です。救急措置はされるでしょうが、本来の治療を施すにはある程度の検査等が必要でその時間の経過から命を落とす方もいるかと思います。
また、普段服用している薬などの情報がなければ治療に支障をきたす場合もあるでしょう。そんな重度の持病をお持ちの患者さんは普段治療を受けている医療施設にてデータ管理されているためこのようなもしもの自体には対応ができないのが現状なのです
いつ何時どこにいても早期治療が受けられる安心のできるシステムが必要だと思います
【問題を解決するための手段】
【０００６】  ＣＤ−Ｒなどの記録メディアに個人情報やｗｅｂ管理サイトの閲覧情報を入れたものを附属することでそれに付帯するｗｅｂ上の個人情報サイト内の個人を特定する情報の削除をすることにより個人情報の流出が１００％防止できる保守システムの方法
ｗｅｂ上の書き込みサイトへの医療関連の個人情報収集および管理の状態をＣＤ−Ｒなどの情報記録メディア内データを使用することにより閲覧する方法
ｗｅｂ上にて個人の傷病に関する基本データ、各種検査データ、自己測定データ、服用薬データ、食生活データ等の医療関連データがそれらの閲覧情報の入ったメディアを手にすることでパソコンや携帯電話から閲覧および書き込みができることで個人の病状や症状が早期に把握できることにより素早い処置を可能とする救急医療システムのの方法
ｗｅｂ上の管理サイトから個人の居宅等に設置されているｗｅｂカメラに接続することにより個人の生活状況および病状などがリアルタイムの映像や画像で把握することが可能な在宅医療システムの方法
以上の主体とするしゅだんの詳細が以下の内容です
ＣＤ−Ｒなどの記録メディアに個人情報やｗｅｂ管理サイトの閲覧情報を入れたものを附属することでそれに付帯するｗｅｂ上の個人情報の個人を特定する情報の削除により個人情報の流出が１００％防止できる保守システム構想
ｗｅｂ上の書き込みサイトへの医療関連の個人情報収集および管理状態をＣＤ−Ｒなどの情報記録メディア内データを使用することにより閲覧する方法
ｗｅｂ（インターネット）上にセキュリティーに保護された個人データ管理用のサイトを構築します。このサイトにはそれぞれ現在普及されているパスワードの仕様でログインする個別のサイト（掲示板やブログなど）がリンクされています。それらの個別サイトには閲覧および書き込み機能があり、どのサイトもパソコンおよびモバイル（携帯電話を含む）のどちらでも利用できるものです。この個人情報収集および管理システムサイト（以下管理サイトと記名）にリンクされたそれぞれのサイトへ患者さん自らが携帯電話からメール機能を使うことで普段受診している医療施設からの検査データや薬のデータ、またはその日の自己バイタル測定値、病歴、食事メニューなどをタイトル別に書き込み自分で管理していきます。それに伴い主治医より自分の症状に対する基本データ（要点や注意点）を出していただき、それらも書き込んでおきます。それぞれのリンクされたサイトの容量を最大１年分のデータが書き込めるものを使い、それぞれに書き込み専用及び閲覧専用の２種のパスワードが設定できるものにします。それぞれの書き込みサイトのＵＲＬ（アドレス）を自分の携帯電話に登録保存することでいつでもどこでも時自分の症状に関するデータや毎日の体温や血圧などの自己計測データおよび生活状況をそれぞれのタイトル分けされたサイトへ書き込んでいくわけです。
このサイトはｗｅｂ上のサイト内管理のため本来ならセユリティーに保護されていても強力なハッカーなどにかかるとたやすくセキュリティーが破られてしまいますが、このシステムはセキュリティーに関係なく個人情報保守する仕組みをとっています。その仕組みとはこのｗｅｂ上の管理システム内の個人データには本人と判明する個人情報は一切掲載せず、別にＣＤ−ＲやＳＤカードまたはＵＳＢメモリーなどに個人情報を入れ、その情報とともに管理サイトからリンクされているそれぞれの書き込みサイトの閲覧専用パスワードを記載し、管理サイトのＵＲＬのリンクをつけておき、それをクリックすることで管理サイトが開き、記載のパスワードを使いそれぞれの個人データが閲覧できるわけです。すなわち管理サイトに収集されている個人情報はｗｅｂ上ではそのメディアがなければ誰の個人データかわからないわけです。毎日の収集データは持病に対して有効なデータになりうります。そして個人情報と管理サイトの閲覧情報が入ったメディアを患者本人、配偶者または親族などに渡して管理してもらうのです。また、毎日の生活状況や自己測定データ、食事メニュー、薬の履歴データなどは主治医や栄養士、薬剤師などにも閲覧してもらうことで診察等にも大きく役立ちます。家庭にあるｗｅｂ機器に附属するｗｅｂカメラの使用によるリアルタイムの撮影も可能です
【考案の効果】
【０００７】  個人情報や管理サイト閲覧情報を入れたメディアを持つことで、普段受診している医療施設以外の病院に行っても救急搬送されてもこのメディアを渡すことで早期治療が可能となります。また、意識を失って搬送される場合も家族にメディアを預けておくと安心です。日本中どこにいても安心できる自己管理システムです。普段から主治医にメディアを渡しておくと症状が悪化したときに主治医に管理サイトを閲覧してもらうことでリアルタイムで症状の把握も可能になります。そのほか、医療施設での定期的な検査データや調剤薬局での処方薬データなどを主治医や薬剤師による書き込みが可能なときは書き込みパスワードを教えることで可能になります。
【実施例】
【０００８】  重篤な持病をお持ちの方のみならず各種傷病を患った人にも効果的な自己収集管理システムです。病院だけにデータを預けっ放しにしないで自分でも管理することは大切だと想います。すでにメール世代が老齢になりつつある今このシステムは次世代の管理システムとして利用される可能性がありまます
【産業上の利用可能性】
【００９】  病院とソフトウェア会社との協力があれば救急治療の先端技術となりえるシステムです。しかも個人情報が個人を特定しないため悪用される心配もありません。ただし今のｗｅｂ上のセキュリティーシステムによるログインパスワードは不特定多数のネットカフェなどのパソコンにて閲覧するとパスワードが登録される可能性があり、それらのシステム防御を考えていかなければいけないと思います。